(57)【要約】【課題】変更されていない光ディスクと外部の特徴が同様であるような、埋め込まれたセンサデバイスを有する光ディスクを提供すること。【解決手段】光ディスク（１０）は、データディスク（１１）と、カバーディスク（１２）と、センサ用凹所（１３）と、センサデバイス（１４）とを有する。各ディスクは接触面と非読み取り領域（１１１，１２１）とを有する。センサ用凹所（１３）は両ディスクの一方の接触面の非読み取り領域に形成されている。センサデバイス（１４）をセンサ用凹所に配置し、データディスクをカバーディスクに接合すると、埋め込まれたセンサデバイスを有する光ディスクが得られる。【選択図】図１
0003120591.tif 000002
【実用新案登録請求の範囲】
【請求項１】
埋め込まれたセンサデバイスを有する光ディスクであって、
外部データ面と、接触面と、中央孔と、該中央孔の周りに形成された非読み取り領域とを有するデータディスクと、
前記データディスクに接合されたカバーディスクであって、外部印刷面と、前記データディスクの接触面に接合された接触面と、前記データディスクの中央孔に対応しかつこれと整合する中央孔と、前記カバーディスクの中央孔の周りに形成されかつ前記データディスクの非読み取り領域と整合する非読み取り領域とを有するカバーディスクと、
両ディスクの一方の非読み取り領域に形成されたセンサ用凹所であって該センサ用凹所が規定される前記ディスクの中央孔の周りに同心的に形成された環状溝と、該環状溝に連なるコントローラ用凹所と、該コントローラ用凹所に直径方向に相対するバランス用凹所とを備えるセンサ用凹所と、
前記センサ用凹所に配置されたセンサデバイスであって前記環状溝内に配置された感知コイルと、該感知コイルに電気的に接続されかつ前記コントローラ用凹所に配置されたコントローラＩＣとを備えるセンサデバイスとを含む、光ディスク。
【請求項２】
前記コントローラＩＣは無線タグＩＣからなる、請求項１に記載の光ディスク。
【考案の詳細な説明】
【技術分野】
【０００１】
本考案は光ディスク、特に識別目的のための埋め込みセンサデバイスを有する光ディスクに関する。
【背景技術】
【０００２】
光ディスクは最も一般的な画像及び音の記録媒体であるが、ディスクの複製が極めて容易である。光ディスク記録装置と空のディスクとを用いて、コストをほとんどかけることなしにディスクの複製を行うことができる。剽窃者は非常にわずかなコストで現代技術を用いてＣＤを作り、巨額の利益を得た。知的財産の侵害に関する海賊行為は、多くの国々でレコード及び出版産業に大きな損害を与えた。
【０００３】
知的財産を保護するための活動において、出版者、芸術家及び関連の企業はこの問題を克服するためにデータの暗号化を含むすぐに利用可能の技術を試みた。暗号化はソフトウエア・ツールを用いて行われ、また精巧なアルゴリズムに基づいていた。不幸にも、暗号化は複製を妨げるのに完全に有効であったわけではない。充分な時間があれば、暗号化は解読することができまたこれを破ることができ、ディスク上の情報は複写することができる。結局、あるオペレータは、情報へのアクセスをコントロールし、また正当なユーザーを特定するために非接触型スマートカードの使用を開始した。身元確認のために用いられる感知装置は光ディスク上に取り付けられ、それは光ディスクの構造に影響を与えない。しかし、ディスクの厚さは増大した。
【０００４】
この欠点を克服するため、本考案は前記した問題を除去し又は軽減するための内蔵されたセンサデバイスを有する光ディスクを提供する。
【考案の開示】
【考案が解決しようとする課題】
【０００５】
本考案の主な目的は、変更されていない光ディスクと外部の特徴が同様であるような、埋め込まれたセンサデバイスを有する光ディスクを提供することにある。
【課題を解決するための手段】
【０００６】
前記目的を達成するため、本考案に係る光ディスクはデータディスクと、カバーディスクと、センサ用凹所と、センサデバイスとを含む。
【０００７】
前記データディスク及び前記カバーディスクは相応に一体化され、各ディスクは中央孔と該中央孔の周りに形成された非読み取り領域とを有する。
【０００８】
前記センサ用凹所は前記ディスクの一方の非読み取り領域に形成される。
【０００９】
前記センサデバイスは前記ディスクの一方のセンサ用凹所に配置され、又感知コイルとコントローラＩＣとを含む。
【００１０】
本考案の他の目的、利点及び新規な特徴は添付図面を参照しての以下の詳細な説明からさらに明らかとなろう。
【考案を実施するための最良の形態】
【００１１】
図１及び図２を参照すると、本考案に係る光ディスク１０はデータディスク１１と、カバーディスク１２と、センサ用凹所１３と、センサデバイス１４とを含む。
【００１２】
データディスク１１は外部データ面と、接触面と、中央孔１１０と、非読み取り領域１１１とを有する。非読み取り領域１１１は中央孔１１０の周りに形成されている。
【００１３】
カバーディスク１２は外部印刷面と、接触面と、中央孔１２０と、非読み取り領域１２１とを有する。さらに図３を参照すると、カバーディスク１２の接触面はデータディスク１１の接触面に接合される。中央孔１２０はデータディスク１１の中央孔１１０に対応しかつこれと整合する。非読み取り領域１２１は中央孔１２０の周りに形成され、データディスク１１の非読み取り領域１１１に対応しかつこれと整合する。
【００１４】
センサ用凹所１３はディスク１１，１２の一方の接触面の非読み取り領域１１１，１２１に形成され、環状の溝１３３と、コントローラ用凹所１３１と、バランス用凹所１３２とを含む。環状溝１３３が中央孔１１０，１２０の周りに同心的に形成されている。コントローラ用凹所１３１は環状溝１３３に連なる。バランス用凹所１３２は、前記光ディスクがアンバランスにならないようにコントローラ用凹所１３１に対して直径方向に相対している。
【００１５】
センサデバイス１４はセンサ用凹所１３内に配置され、感知コイル１４１とコントローラＩＣ１４２とを含む。
【００１６】
感知コイル１４１は環状溝１３３内に配置されている。
【００１７】
コントローラＩＣ１４２は無線タグＩＣ（ＲＦＩＤ  ＩＣ）からなり、感知コイル１４１に電気的に接続されまたコントローラ用凹所１３１内に配置される。
【００１８】
前記した光ディスク１０は次の利点を有する。センサデバイス１４を埋め込むことは単純であり容易である。光ディスク１０は、センサデバイスを有しない従来のディスクと同じ厚さを含む外部の特徴を有する。さらに、光ディスク１０内に埋め込まれたセンサデバイス１４は、光ディスク１０により保護される。
【００１９】
本考案の多くの特徴及び利点が本考案の構造及び作用の詳細と共に前記説明において述べられたが、その開示は例示である。変更は、特に部品の形状、寸法及び配置の事項について、本考案の原理内において、実用新案登録請求の範囲で示された用語の広い一般的な意味により表された最大限まで、詳細になされ得る。
【図面の簡単な説明】
【００２０】
【図１】本考案に従う光ディスクの分解斜視図である。
【図２】図１に示す光ディスクの斜視図である。
【図３】組み立てられる図２に示す光ディスクの部分断面における一連の側面図である。
【符号の説明】
【００２１】
１０  光ディスク
１１  データディスク
１２  カバーディスク
１３  センサ用凹所
１４  センサデバイス
１１０，１２０  中央孔
１１１，１２１  非読み取り領域
１３１  コントローラ用凹所
１３２  バランス用凹所
１３３  環状溝
１４１  感知コイル
１４２  コントローラＩＣ
【図１】
0003120591.tif 000003
【図２】
0003120591.tif 000004
【図３】
0003120591.tif 000005